(57)【要約】【課題】簡易な構成で複数の表示形状を同一箇所に切り替えて表示することのできる表示装置を提供する。【解決手段】所定の表示形状が透光領域として形成された表示板１０２を裏面側から照明して該表示形状を発光表示する表示装置１０１は、表示板１０２が、第１表示形状１１０と、第２表示形状１１１と、を同一箇所に有し、互いに補色の関係にある第１発光色と、第２発光色とで表示板１０２の裏面を照明する照明手段１０３を備えており、第１表示形状１１０の領域および第２表示形状１１１の領域の重複領域Ａ１が、無色とされ、重複領域Ａ１を除く第１表示形状１１０の領域Ａ２が、第１発光色とされ、重複領域Ａ１を除く第２表示形状１１１の領域Ａ３が、第２発光色とされている。【選択図】図１
2009128375.tif 000002
【特許請求の範囲】
【請求項１】
所定の表示形状が透光領域として形成された表示板を裏面側から照明して該表示形状を発光表示する表示装置であって、
前記表示板が、第１表示形状と、第２表示形状と、を同一箇所に有し、
互いに補色の関係にある第１発光色と、第２発光色とで前記表示板の裏面を照明する照明手段を備えており、
前記第１表示形状の領域および前記第２表示形状の領域の重複領域が、無色とされ、
前記重複領域を除く前記第１表示形状の領域が、前記第１発光色とされ、
前記重複領域を除く前記第２表示形状の領域が、前記第２発光色とされていることを特徴とする表示装置。
【請求項２】
前記表示板が、無色の透光性の基材を含み、
前記基材において、前記重複領域を除く前記第１表示形状の領域には、前記第１発光色の第１透光層が形成され、
前記基材において、前記重複領域を除く前記第２表示形状の領域には、前記第２発光色の第２透光層が形成され、
前記第１表示形状の領域と、前記第２表示形状の領域とを除く前記基材の遮光領域には、前記第１透光層および前記第２透光層が重ねて形成されていることを特徴とする請求項１に記載の表示装置。
【請求項３】
前記第１透光層と、前記第２透光層とが、それぞれ各層の色に対応した透光性インクによる印刷層とされていることを特徴とする請求項２に記載の表示装置。
【発明の詳細な説明】
【技術分野】
【０００１】
本発明は、所定の表示形状が透光領域として形成された表示板を裏面側から照明して該表示形状を発光表示する表示装置に関する。
【背景技術】
【０００２】
この種の表示装置として、複数の表示形状を同一箇所に切り替えて表示するようにした表示装置が知られている（例えば、特許文献１参照）。
【０００３】
特許文献１に開示された表示装置１は、図６に示すように、基材２の上に複数の（図示の例では３層）の表示板３ａ〜３ｃが積層されている。各表示板には文字や数字などの所定の表示形状４ａ〜４ｃが設けられており、これらの表示形状は透光材で形成されている。また、各表示板において、表示形状の周囲は特定の波長（例えば赤色、緑色、青色のいずれか一色）の光を吸収する光吸収材で形成されたマスク部５ａ〜５ｃとされている。そして、各表示板のマスク部で吸収される波長は、表示板毎に異なるように構成されている。
【０００４】
例えば各表示板のマスク部で吸収される波長が表示板３ａでは赤色、表示板３ｂでは緑色、表示板３ｃでは青色であるとして、赤色光で照明された場合には、表示板３ａの表示形状４ａが発光表示され、緑色光で照明された場合には、表示板３ｂの表示形状４ｂが発光表示され、青色光で照明された場合には、表示板３ｃの表示形状４ｃが発光表示される。
【特許文献１】特開２００４−３５５３６８号公報
【発明の開示】
【発明が解決しようとする課題】
【０００５】
上記特許文献１によれば、複数の表示形状を同一箇所に切り替えて表示するので、各表示形状の表示サイズを維持しつつ表示エリアを小型化することができる。しかしながら、上記特許文献１では、表示形状および光吸収特性が互いに異なる表示板を複数用いており、部品点数が多くなる傾向にあり、特性が互いに異なる光吸収材の使用とあいまって、その製造にコストがかかる。
【０００６】
本発明は、上述した事情に鑑みてなされたものであり、その目的は、簡易な構成で複数の表示形状を同一箇所に切り替えて表示することのできる表示装置を提供することにある。
【課題を解決するための手段】
【０００７】
上記目的は、本発明に係る下記の表示装置により達成される。
（１）所定の表示形状が透光領域として形成された表示板を裏面側から照明して該表示形状を発光表示する表示装置であって、前記表示板が、第１表示形状と、第２表示形状と、を同一箇所に有し、互いに補色の関係にある第１発光色と、第２発光色とで前記表示板の裏面を照明する照明手段を備えており、前記第１表示形状の領域および前記第２表示形状の領域の重複領域が、無色とされ、前記重複領域を除く前記第１表示形状の領域が、前記第１発光色とされ、前記重複領域を除く前記第２表示形状の領域が、前記第２発光色とされていることを特徴とする表示装置。
（２）前記表示板が、無色の透光性の基材を含み、前記基材において、前記重複領域を除く前記第１表示形状の領域には、前記第１発光色の第１透光層が形成され、前記基材において、前記重複領域を除く前記第２表示形状の領域には、前記第２発光色の第２透光層が形成され、前記第１表示形状の領域と、前記第２表示形状の領域とを除く前記基材の遮光領域には、前記第１透光層および前記第２透光層が重ねて形成されていることを特徴とする（１）に記載の表示装置。
（３）前記第１透光層と、前記第２透光層とが、それぞれ各層の色に対応した透光性インクによる印刷層とされていることを特徴とする（２）に記載の表示装置。
【発明の効果】
【０００８】
本発明に係る表示装置によれば、第１発光色で照明された際には、第１表示形状の領域との重複領域を除き第１発光色と補色の関係にある第２発光色とされた第２表示形状の領域は黒色となり、第１表示形状のみが発光表示される。一方、第２発光色で照明された際には、第２表示形状の領域との重複領域を除き第２発光色と補色の関係にある第１発光色とされた第１表示形状の領域は黒色となり、第２表示形状のみが発光表示される。このように補色を利用することで、一つの表示板で第１表示形状と、第２表示形状とを切り替えて表示することができる。それにより、表示装置の構成を簡易なものとすることができ、そして、各表示形状の表示サイズを維持しつつ表示エリアを小型化することができる。
【発明を実施するための最良の形態】
【０００９】
以下、図を参照して本発明の好適な実施形態を説明する。
【００１０】
（第１実施形態）
図１は本発明の表示装置の第１実施形態の断面図、図２は図１の表示装置の表示板の正面図、図３は表示板の構成を示す背面図、図４は図１の表示装置の表示形態を示す正面図である。
【００１１】
図１に示すように、本実施形態の表示装置１０１は、車両に搭載されるコンビネーションメータの各種の警告等を表示するインジケータであって、各種の警告等の所定の表示形状が透光領域として形成された表示板１０２を裏面側から照明して表示形状を発光表示するものである。
【００１２】
表示板１０２の裏面側には、表示板１０２を照明する照明手段１０３が設けられた基板１０４が配置されている。基板１０４には、例えば照明手段１０３の点灯、消灯を制御する制御回路等が実装され得る。図１で符号１０５は、表示装置１０１のケースに設けられた支持部材を示し、この支持部材１０５は、表示板１０２と基板１０４との間に介在して両者を支持するとともに、ランプケースを形成している。
【００１３】
図２に示すように、表示板１０２には、第１表示形状１１０と、第２表示形状１１１とが同一箇所に形成されている。図２では、第１表示形状１１０の一例として車両の方向指示器の動作状態を表示する矢印を示し、第２表示形状１１１の一例として車両の半ドア状態を表示する車体概形を示すが、本発明において、表示形状は上記に限定されるものではない。尚、図２で一点鎖線Ｌは、表示形状１１０、１１１の表示エリアを示す。
【００１４】
表示装置１０１では、第１表示形状１１０を第１発光色で発光表示し、第２表示形状を第１発光色とは補色の関係にある第２発光色で発光表示する。以下で、第１発光色を緑色、第２発光色を赤色として説明するが、本発明において、第１発光色と、第２発光色とは、互いに補色の関係にあればよく、緑色と赤色とに限定されるものではない。
【００１５】
表示板１０２の同一箇所に形成された第１表示形状１１０と第２表示形状１１１とは、互いに重複する部分を有している。表示板１０２において、第１表示形状１１０の領域および第２表示形状１１１の領域の重複領域Ａ１は、図３（Ａ）に示すように、無色の透光領域とされている。そして、重複領域Ａ１を除く第１表示形状１１０の領域Ａ２は、図３（Ｂ）に示すように、第１発光色である緑色の透光領域とされ、重複領域Ａ１を除く第２表示形状１１１の領域Ａ３は、図３（Ｃ）に示すように、第２発光色である赤色の透光領域とされている。尚、第１表示形状１１０の領域と第２表示形状１１１の領域とを除く領域Ａ４は、図３（Ｄ）に示すように、遮光領域とされている。
【００１６】
上記の表示板１０２は、図１に示すように、無色の透光性の基材１２０の裏面において、重複領域Ａ１を除く第１表示形状１１０の領域Ａ２に、緑色の第１透光層１２１を形成し、重複領域Ａ１を除く第２表示形状１１１の領域Ａ３に、赤色の第２透光層１２２を形成し、そして、第１表示形状１１０の領域と第２表示形状１１１の領域とを除く遮光領域Ａ４に、遮光層１２３を形成して構成されている。重複領域Ａ１は、基材１２０が露呈した状態となっている。尚、図１で符号１２４は、基材１２０の表面に形成されたスモーク層を示し、このスモーク層１２４は、照明手段１０３が点灯されていない時には第１表示形状１１０および第２表示形状１１１が視認されないようにするためのものである。
【００１７】
上記の第１透光層１２１、第２透光層１２２、遮光層１２３は、それぞれ緑色の透光性インク、赤色の透光性インク、黒色の遮光性インクを基材１２０の裏面に印刷して形成されている。
【００１８】
尚、表示板１０２の構成は、上記したものに限定されない。例えば、第１透光層１２１、第２透光層１２２、遮光層１２３を印刷によらずフィルムで形成することもできる。また、透光性の基材１２０に替えて遮光性の基材を用い、この基材から第１表示形状１１０と第２表示形状１１１との領域を抜き、重複領域Ａ１の領域を無色の透光性材料で、重複領域Ａ１を除く第１表示形状１１０の領域Ａ２を緑色の透光性材料で、重複領域Ａ１を除く第２表示形状１１１の領域Ａ３を赤色の透光性材料で埋めて形成することもできる。
【００１９】
照明手段１０３は、第１発光色である緑色に発光する第１光源１３０と、第２発光色である赤色に発光する第２光源１３１とを含んでいる。光源１３０、１３１としては、例えば発光ダイオードを用いることができる。光源１３０、１３１は、表示板１０２の表示形状１１０、１１１が形成された箇所に対向する位置で基板１０４に実装されており、光源１３０、１３１から照射された光は、表示板１０２の表示形状１１０、１１１が形成された箇所に直接入射する。尚、導光部材を適宜用いて、表示板１０２の表示形状１１０、１１１が形成された箇所に対向する位置から外れた位置に光源１３０、１３１を配置することもできる。
【００２０】
第１表示形状１１０と、第２表示形状１１１とのいずれを発光表示するかに応じて、第１光源１３０と、第２光源１３１とは択一的に点灯される。即ち、第１表示形状１１０を発光表示する際には、第１光源１３０が点灯され、他方の第２光源１３１は消灯される。第２表示形状１１１を発光表示する際には、第２光源１３１が点灯され、他方の第１光源１３０は消灯される。
【００２１】
第１光源１３０が点灯された際には、図４（Ａ）に示すように、重複領域Ａ１を含む第１表示形状１１０の領域（Ａ１およびＡ２）は、無色または第１光源１３０の発光色と同一の緑色の透光領域であるため緑色に発光するが、重複領域Ａ１を除く第２表示形状１１１の領域Ａ３は、第１光源１３０の発光色と補色の関係にある赤色の透光領域であるため遮光領域Ａ４と同じ黒色となる。それにより、第１表示形状１１０のみが緑色に発光表示される。
【００２２】
第２光源１３１が点灯された際には、図４（Ｂ）に示すように、重複領域Ａ１を含む第２表示形状１１１の領域（Ａ１およびＡ３）は、無色または第２光源１３１の発光色と同一の赤色の透光領域であるため赤色に発光するが、重複領域Ａ１を除く第１表示形状１１０の領域Ａ２は、第２光源１３１の発光色と補色の関係にある緑色の透光領域であるため遮光領域Ａ４と同じ黒色となる。それにより、第２表示形状１１１のみが赤色に発光表示される。
【００２３】
以上、説明したように、本実施形態の表示装置１０１によれば、第１発光色で照明された際には、重複領域Ａ１を除き第１発光色と補色の関係にある第２発光色とされた第２表示形状１１１の領域Ａ３は黒色となり、第１表示形状１１０のみが発光表示される。一方、第２発光色で照明された際には、重複領域Ａ１を除き第２発光色と補色の関係にある第１発光色とされた第１表示形状１１０の領域Ａ２は黒色となり、第２表示形状１１１のみが発光表示される。このように補色を利用することで、一つの表示板１０２で第１表示形状１１０と、第２表示形状１１１とを切り替えて表示することができる。それにより、表示装置１０１の構成を簡易なものとすることができ、そして、各表示形状の表示サイズを維持しつつ表示エリアを小型化することができる。
【００２４】
尚、上述した表示装置１０１で、照明手段１０３は、択一的に点灯される第１光源１３０と第２光源１３１とを含むものとして説明したが、これは、第１発光色を緑色とし、第２発光色を赤色としており、それぞれ単一の発光ダイオード等の光源で再現することができるからである。かかる構成によれば、部品点数の増加を抑制することができる。これに対して、単一の発光ダイオード等の光源では再現できない発光色を用いる場合に、照明手段は、赤色光源と、緑色光源と、青色光源とを含むものとし、これらの光源により所望の発光色を混成するようにしてもよい。かかる構成によれば、発光色の自由度を向上させることができる。
【００２５】
（第２実施形態）
図５は本発明の表示装置の第２実施形態の表示装置の断面図である。尚、上述した第１実施形態の表示装置１０１と共通する部材には、同一の符号を付すことにより説明を省略あるいは簡略する。
【００２６】
図５に示すように、本実施形態の表示装置２０１は、各種の警告等の所定の表示形状が透光領域として形成された表示板２０２を裏面側から照明して表示形状を発光表示する。表示板２０２には、第１表示形状１１０（図２参照）と、第２表示形状１１１（図２参照）とが同一箇所に形成されている。
【００２７】
表示板２０２の同一箇所に形成された第１表示形状１１０と第２表示形状１１１とは、互いに重複する部分を有している。表示板２０２において、重複領域Ａ１（図３（Ａ）参照）は、無色の透光領域とされている。そして、重複領域Ａ１を除く第１表示形状１１０の領域Ａ２（図３（Ｂ）参照）は、第１発光色である緑色の透光領域とされ、重複領域Ａ１を除く第２表示形状１１１の領域Ａ３（図３（Ｃ）参照）は、第２発光色である赤色の透光領域とされている。
【００２８】
上記の表示板２０２は、無色の透光性の基材１２０の裏面において、重複領域Ａ１を除く第１表示形状１１０の領域Ａ２に、緑色の第１透光層１２１を形成し、重複領域Ａ１を除く第２表示形状１１１の領域Ａ３に、赤色の第２透光層１２２を形成し、そして、第１表示形状１１０の領域と第２表示形状１１１の領域とを除く遮光領域Ａ４に、第１透光層１２１と第２透光層１２２とを重ねて形成して構成されている。重複領域Ａ１は、基材１２０が露呈した状態となっている。上記の第１透光層１２１、第２透光層１２２は、それぞれ緑色の透光性インク、赤色の透光性インクを基材１２０の裏面に印刷して形成されている。
【００２９】
第１光源１３０が点灯された際には、重複領域Ａ１を含む第１表示形状１１０の領域（Ａ１およびＡ２）は、無色または第１光源１３０の発光色と同一の緑色の透光領域であるため緑色に発光するが、重複領域Ａ１を除く第２表示形状１１１の領域Ａ３は、第１光源１３０の発光色と補色の関係にある赤色の透光領域であり、また遮光領域Ａ４には第１光源１３０の発光色と補色の関係にある赤色の第２透光層１２２があるため、それぞれ黒色となる。それにより、第１表示形状１１０のみが緑色に発光表示される。
【００３０】
第２光源１３１が点灯された際には、重複領域Ａ１を含む第２表示形状１１１の領域（Ａ１およびＡ３）は、無色または第２光源１３１の発光色と同一の赤色の透光領域であるため赤色に発光するが、重複領域Ａ１を除く第１表示形状１１０の領域Ａ２は、第２光源１３１の発光色と補色の関係にある緑色の透光領域であり、また遮光領域Ａ４には第２光源１３１の発光色と補色の関係にある緑色の第１透光層１２１があるため、それぞれ黒色となる。それにより、第２表示形状１１１のみが赤色に発光表示される。
【００３１】
以上、説明したように、本実施形態の表示装置２０１によれば、第１発光色で照明された際には、重複領域Ａ１を除き第１発光色と補色の関係にある第２発光色とされた第２表示形状１１１の領域Ａ３は黒色となり、第１表示形状１１０のみが発光表示される。一方、第２発光色で照明された際には、重複領域Ａ１を除き第２発光色と補色の関係にある第１発光色とされた第１表示形状１１０の領域Ａ２は黒色となり、第２表示形状１１１のみが発光表示される。このように補色を利用することで、一つの表示板２０２で第１表示形状１１０と、第２表示形状１１１とを切り替えて表示することができる。それにより、表示装置２０１の構成を簡易なものとすることができ、そして、各表示形状の表示サイズを維持しつつ表示エリアを小型化することができる。
【００３２】
また、本実施形態の表示装置２０１では、表示板２０２の遮光領域Ａ４に、遮光層を形成することに替えて、第１透光層１２１と第２透光層１２２とを重ねて形成している。かかる構成によれば、緑色の第１光源１３０が点灯された場合、赤色の第２光源１３１が点灯された場合、いずれの場合にも、光源の発光色と補色の関係となる色相の透光層が含まれて黒色に見える。それにより、第１透光層１２１と第２透光層１２２とは別に遮光層を形成する工程を省くことができ、コストを削減することができる。
【００３３】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００３４】
【図１】本発明の表示装置の第１実施形態の断面図である。
【図２】図１の表示装置の表示板の正面図である。
【図３】図１の表示板の構成を示す背面図である。
【図４】図１の表示装置の表示形態を示す正面図である。
【図５】本発明の表示装置の第２実施形態の表示装置の断面図である。
【図６】従来の表示装置の要部を分解して示す斜視図である。
【符号の説明】
【００３５】
１０１  表示装置
１０２  表示板
１０３  照明手段
１０４  基板
１０５  支持部材
１１０  第１表示形状
１１１  第２表示形状
１２０  基材
１２１  第１透光層
１２２  第２透光層
１２３  遮光層
１３０  第１光源
１３１  第２光源
Ａ１  重複領域
Ａ２  重複領域を除く第１表示形状の領域
Ａ３  重複領域を除く第２表示形状の領域
Ａ４  遮光領域
【図１】
2009128375.tif 000003
【図２】
2009128375.tif 000004
【図３】
2009128375.tif 000005
【図４】
2009128375.tif 000006
【図５】
2009128375.tif 000007
【図６】
2009128375.tif 000008